(57)【要約】【課題】  複数の記録材のそれぞれ異なる幅方向サイズの各々に対応する長さを有する複数の発熱体を有し、選択された記録材の幅方向サイズに対応する発熱体を駆動する画像形成装置において、一部の発熱体に故障が発生した場合でも最適な画像形成を行うことができる装置を提供すること。【解決手段】  記録材の幅方向のサイズに応じた複数の発熱体のうち、一部の発熱体が故障した場合に、この故障発熱体の駆動を禁止するとともに、非故障発熱体の駆動は許容するように発熱体選択駆動手段を制御し、且つ、故障発熱体に対応する第１の記録材の搬送を禁止するとともに、前記サイズが非故障発熱体に対応する第２の記録材の搬送は許容するように記録材選択搬送手段を制御することを特徴とする。【選択図】  図５
2009237328.tif 000002
【特許請求の範囲】
【請求項１】
搬送方向と直交する方向におけるサイズが異なる複数の記録材を選択的に搬送する記録材選択搬送手段と、
搬送される記録材に未定着像を形成する画像形成手段と、
前記複数の記録材の前記サイズの各々に対応して異なる長さを有する複数の発熱体と、
選択された記録材に形成された画像を加熱定着するために、前記複数の発熱体のうち、この選択された記録材の前記サイズに対応する長さの発熱体を駆動して発熱させる発熱体選択駆動手段と、
を備えた画像形成装置において、
前記複数の発熱体のうち、一部の発熱体が故障した場合は、
この故障発熱体の駆動を禁止するとともに、非故障発熱体の駆動は許容するように前記発熱体選択駆動手段を制御し、且つ、前記サイズが故障発熱体に対応する第１の記録材の搬送を禁止するとともに、前記サイズが非故障発熱体に対応する第２の記録材の搬送は許容するように前記記録材選択搬送手段を制御する、
ことを特徴とする画像形成装置。
【請求項２】
選択可能な記録材を選択肢表示する表示手段を有し、
前記表示手段は、前記第１の記録材を、記録材の選択肢表示から除くことを特徴とする請求項１に記載の画像形成装置。
【請求項３】
画像データの記録倍率を変更処理する画像倍率処理手段を有し、
前記第１の記録材に対応する画像データの記録倍率を、前記第２の記録材の大きさに対応するように変更処理するように前記画像倍率処理手段を制御し、
この記録倍率を変更処理された画像データを用いて前記第２の記録材に画像形成を行うことを特徴とする請求項１または２に記載の画像形成装置。
【請求項４】
画像データを回転処理する画像回転処理手段を有し、
前記第２の記録材が前記第１の記録材を９０度回転させた形状である場合、
前記第１の記録材に対応する画像データを９０度回転処理するように前記画像回転処理手段を制御し、この回転処理された画像データを用いて、前記第２の記録材に画像形成を行うことを特徴とする請求項１または２に記載の画像形成装置。
【請求項５】
搬送方向と直交する方向におけるサイズが異なる複数の記録材を選択的に搬送する記録材選択搬送手段と、
搬送される記録材に画像を形成する画像形成手段と、
前記複数の記録材の前記サイズの各々に対応して異なる長さを有する複数の発熱体と、
選択された記録材に形成された画像を加熱定着するために、前記複数の発熱体のうち、この選択された記録材の前記サイズに対応する長さの発熱体を駆動して発熱させる発熱体選択駆動手段と、
を備えた画像形成装置において、
前記複数の発熱体のうち一部の発熱体に故障が発生した場合、
この故障発熱体の駆動を禁止するとともに、非故障発熱体の駆動は許容するように前記発熱体選択駆動手段を制御し、
前記記録材選択搬送手段が、前記サイズが故障発熱体に対応する記録材を選択搬送する際は、故障発熱体よりも長い非故障発熱体を駆動するように制御する、
ことを特徴とする画像形成装置。
【請求項６】
前記故障発熱体のかわりに、前記故障発熱体よりも１サイズ長さの長い非故障発熱体を駆動することを特徴とする請求項５に記載の画像形成装置。
【発明の詳細な説明】
【技術分野】
【０００１】
本発明は、記録材に形成された未定着画像を加熱定着する複写機、プリンタ等の画像形成装置に関する。
【背景技術】
【０００２】
電子写真方式の画像形成装置においては、トナー像等の像を加熱して定着させる方式（熱定着方式）の定着装置が広く用いられている。また、従来、複数の発熱体を備えた画像形成装置が提案されている。
【０００３】
そのうちの一つとして、加熱部分の長さが異なる複数の発熱体を有する定着装置を備える画像形成装置において、省エネモード設定のオン／オフ操作に応じて複数の発熱体の駆動を切り替え、発熱体の長さ以上のサイズの記録材の搬送を禁止しているものがある。これにより、定着装置における消費電力を低減することを可能としている（特許文献１参照）。
【０００４】
ところで、従来の画像形成装置の定着装置においては、定着装置の温度が所定時間内に所定温度まで上がらない等の故障が発生した場合、一部の発熱体のみが故障している場合でも、直ちに定着装置を含む画像形成装置全体の電源をオフし、画像形成も定着動作も禁止するという処理が一般的に行われている。
【０００５】
しかし、複数の発熱体のうち一部の発熱体に故障が発生しても、残りの発熱体を用いるとともに、ウォームアップ時間等の記録制御条件を変更することによって加熱定着に必要な温度を維持し、画像形成を継続可能とする画像形成装置も提案されている。（特許文献２参照）
【特許文献１】特登録０３４４５７０２号公報
【特許文献２】特開平９−２８８４３０号公報
【発明の開示】
【発明が解決しようとする課題】
【０００６】
本発明では、複数の記録材のそれぞれ異なる幅方向サイズの各々に対応する長さを有する複数の発熱体を有し、選択された記録材の幅方向サイズに対応する発熱体を駆動する画像形成装置において、一部の発熱体に故障が発生した場合でも最適な画像形成を行うことができる装置を提供する。
【課題を解決するための手段】
【０００７】
上記目的を達成するため、第１の発明は、搬送方向と直交する方向におけるサイズが異なる複数の記録材を選択的に搬送する記録材選択搬送手段と、搬送される記録材に画像を形成する画像形成手段と、前記複数の記録材の前記サイズの各々に対応して異なる長さを有する複数の発熱体と、選択された記録材に形成された画像を加熱定着するために、前記複数の発熱体のうち、この選択された記録材の前記サイズに対応する長さの発熱体を駆動して発熱させる発熱体選択駆動手段とを備えた画像形成装置において、前記複数の発熱体のうち、一部の発熱体が故障した場合は、この故障発熱体の駆動を禁止するとともに、非故障発熱体の駆動は許容するように前記発熱体選択駆動手段を制御し、且つ、前記サイズが故障発熱体に対応する第１の記録材の搬送を禁止するとともに、前記サイズが非故障発熱体に対応する第２の記録材の搬送は許容するように前記記録材選択搬送手段を制御する、ことを特徴とする。
【０００８】
第２の発明は、搬送方向と直交する方向におけるサイズが異なる複数の記録材を選択的に搬送する記録材選択搬送手段と、前記複数の記録材の前記サイズの各々に対応して異なる長さを有する複数の発熱体と、搬送される記録材に画像を形成する画像形成手段と、選択された記録材に形成された画像を加熱定着するために、前記複数の発熱体のうち、この選択された記録材の前記サイズに対応する長さの発熱体を駆動して発熱させる発熱体選択駆動手段とを備えた画像形成装置において、前記複数の発熱体のうち一部の発熱体に故障が発生した場合、この故障発熱体の駆動を禁止するとともに、非故障発熱体の駆動は許容するように前記発熱体選択駆動手段を制御し、前記記録材選択搬送手段が、前記サイズが故障発熱体に対応する記録材を選択搬送する際は、故障発熱体よりも長い非故障発熱体を駆動するように制御する、ことを特徴とする。
【発明の効果】
【０００９】
複数の記録材のそれぞれ異なる幅方向サイズのそれぞれに対応する長さの異なる複数の発熱体を有し、選択された記録材の幅方向サイズに対応する発熱体を駆動する画像形成装置において、一部の発熱体に故障が発生した際、故障発熱体の駆動を禁止した上で、非故障発熱体の駆動を許容することにより、画像形成装置を停止させることなく、非故障発熱体に対応するサイズの記録材を用いた画像形成を行うことを可能とする。
【００１０】
また、故障発熱体よりも長さの長い非故障発熱体を用いることにより、故障発熱体に対応するサイズの記録材を用いた画像形成を行うことを可能とする。
【発明を実施するための最良の形態】
【００１１】
（実施例１）
以下、本発明の実施の形態を、図面を参照して説明する。
【００１２】
図１は、本発明の実施形態に係る画像形成装置の構成を示す断面図である。図１において、１００は画像形成装置本体である。
【００１３】
画像形成部１２６を構成するものとして、電子写真感光ドラム１１０と、その感光ドラム１１０の周囲に配置された１次帯電器１１２、露光制御部１２０、現像器１２１、転写帯電器１１８、クリーニング装置１１６が装備されている。画像形成部１２６において、感光ドラム１１０は、不図示のモータにより図に示す矢印の方向に回転している。そして、感光ドラム１１０は、１次帯電器１１２により所望の電位に帯電された後、露光制御部１２０からの被記録画像信号により変調されたレーザ光１２９が照射され、静電潜像が形成される。感光ドラム１１０上に形成された静電潜像は、現像器１２１により現像されて、トナー像として可視化される。
【００１４】
この感光ドラム１１０上のトナー像は、後述の記録材選択搬送手段から供給されてくる、選択されたサイズの記録材に、転写帯電器１１８により転写される。
【００１５】
転写後の感光ドラム１１０では、クリーニング装置１１６により残留トナーが清掃される。転写後の未定着トナー像を担持した記録材は転写ベルト１３０によって後述の定着器１４１に送られ、加圧、加熱により定着され、排出ローラ１４２により本体１００の外に排出される。
【００１６】
前記記録材選択搬送手段として、本体１００内に上段カセット１３１、下段カセット１３２、上段ピックアップローラ１３３、下段ピックアップローラ１３４が設けられている。また、本体１００に外付けでリフタ１５１とピックアップローラ１５２を有するデッキ１５０が装備されている。
【００１７】
この例では、カセット１３１、１３２、デッキ１５０は、Ａ３サイズ、Ｂ４サイズ、ＬＧＬ（リーガル）サイズの記録材については縦向き搬送態様で収容可能であり、Ｂ５サイズ、Ａ５サイズ、ＬＴＲ（レター）サイズの記録材については横向き搬送態様で収容可能である。そして、Ａ４サイズの記録材については、縦向き搬送態様ででも、横向き搬送態様ででも収容可能に構成されている。
【００１８】
ここで、横向き搬送とは、矩形形状の記録材を、その長辺が搬送方向と直交する姿勢で搬送することを言い、縦向き搬送とは、矩形形状の記録材を、その短辺が搬送方向と直交する姿勢で搬送することをいう。
【００１９】
本実施例では、規格形状はＡ４サイズである記録材に対し、後述の表示・操作部３１０等において、Ａ４サイズの記録材が横向き搬送態様に収容されていることを「Ａ４」、縦向き搬送態様に収容されていることを「Ａ４Ｒ」として扱っている。
【００２０】
また、搬送方向と直交する方向における記録材のサイズを幅方向のサイズと言うこともある。
【００２１】
そして、操作者が表示・操作部で選択したサイズの記録材が対応するピックアップローラによって画像形成部１２６に向けて搬送される。
【００２２】
次に、図２に従って、定着器１４１の構成について述べる。
【００２３】
２００は定着部材である定着ベルトであり、ポリイミド等の耐熱性樹脂材料を無端ベルト状に成型したものである。定着ベルト２００は定着ベルト駆動ローラ２０１及び発熱体支持ローラ３００によって張架されている。発熱体支持ローラ３００の内部には円周方向に沿って複数の発熱体３０２（定着ニップ部に位置する１本のみ図示）が配列支持されている。そして、選択された記録材のサイズに応じてそのうちの一本が定着ニップに位置決めされて発熱駆動され、この選択された記録材のトナーを定着するヒータとして用いられる。発熱体支持ローラ３００及び発熱体３０２に関しては、図３にて後述する。
【００２４】
定着ベルト駆動ローラ２０１は定着ベルト駆動モータ２０４によって駆動され定着ベルト２００を回転させる。
【００２５】
２０５は加圧部材である加圧ローラであり、芯金にシリコンゴム等の弾性層を被覆し、さらにその表層に離型層としてフッ素コート層を被服している。
加圧ローラ２０５は加圧ローラ駆動モータ２０６によって回転させられ、対向する位置にある発熱体支持ローラとともに記録材を狭持して、この記録材のトナーを加熱定着する定着ニップを形成している。２１４と２１５は定着ベルト駆動モータ２０４と加圧ローラ駆動モータ２０６を制御する為のモータ制御部である。
【００２６】
定着ニップに位置決めされた発熱体で加熱された定着ベルト２００の表面の温度を検知するため、定着ベルト２００と加圧ローラ２０５の定着ニップの近傍に温度検知素子としてのサーミスタ３０４が設けられている。サーミスタ３０４が検知した温度を電気信号として、後述する温度調整制御部３０５に送り、温度調整制御部３０５は定着ベルト２００の表面温度が定着温度となるように発熱体を制御する。
【００２７】
２０２はフランジであり、発熱体支持ローラ３００に圧入されている。２０３は発熱体支持ローラ回転モータである。２１３は発熱体支持ローラ回転位置制御部であり、選択された記録材の幅方向のサイズに対応する長さを有する発熱体を定着ニップ位置に移動させる制御を行っている。
【００２８】
本実施例では、発熱体支持ローラ回転モータ２０３をステッピングモータとし、フランジ２０２の軸上のセンサフラグ２１１を検知して発熱体支持ローラ３００の回転位置を検出する位置検知センサ２１２の入力の変化及び発熱体支持ローラ回転モータ２０３へと出力するパルス数を用いて、選択された発熱体を定着ニップ部に移動させるように発熱体支持ローラ３００を回転移動させる制御を行う。
【００２９】
次に、図３を用いて、本実施例の発熱体支持ローラ３００及び発熱体３０２について述べる。
【００３０】
本実施例においては、発熱体支持ローラ３００はアルミニウム材料が用いられており、内部に複数の、記録材搬送方向と直交する方向についての長さの異なる発熱体３０２Ａ，Ｂ，Ｃ，Ｄ，Ｅが設けられている。発熱体３０２Ａ，Ｂ，Ｃ，Ｄ，Ｅの各々は、それぞれのコネクタ３０１Ａ，Ｂ，Ｃ，Ｄ，Ｅを通して各々電力制御部３０３Ａ，Ｂ，Ｃ，Ｄ，Ｅと接続しており、電力を供給される。電力制御部３０３Ａ，Ｂ，Ｃ，Ｄ，Ｅの各々は、サーミスタ３０４からの信号のもとで温度調整制御部３０５によって制御される。
【００３１】
各電力制御部３０３Ａ，Ｂ，Ｃ，Ｄ，Ｅには、選択スイッチ部３０７を介して選択的に電源３０６からの電力が供給される。また、各電力制御部３０３Ａ，Ｂ，Ｃ，Ｄ，Ｅには選択スイッチ部３０８を介して温度調整制御部３０５と選択的に接続される。
【００３２】
図３のＣＰＵ、ＲＯＭ、ＲＡＭを有する制御回路３０９は、タッチパネル等の表示・操作部３１０への操作者の選択操作によって選択された１本の発熱体の電力制御部のみに、電源３０６の電力と温度調整制御部３０５の温度調整信号を印加するように選択スイッチ部３０７、３０８を制御する。選択されていない発熱体の電力制御部への電力と温度調整信号は、選択スイッチ部３０７、３０８によって遮断される。
【００３３】
次に、各発熱体の記録材搬送方向と直交する方向における長さ３０２ａ，ｂ，ｃ，ｄ，ｅについて説明する。本実施例では、発熱体３０２Ａ，Ｂ，Ｃ，Ｄ，Ｅはそれぞれ異なる長さで構成されている。
【００３４】
本実施例では、発熱体３０２Ａの長さ３０２ａは、Ａ４サイズ記録材の横向き搬送態様での幅方向の長さであり、かつ、Ａ３サイズ記録材の縦向き搬送態様での幅方向の長さである２９７ｍｍに、発熱体余裕代としての５ｍｍを加えた、３０２ｍｍである。
【００３５】
発熱体３０２Ｂの長さ３０２ｂは、ＬＴＲ（レター）サイズ記録材の横向き搬送態様での幅方向の長さである２７９ｍｍに、発熱体余裕代としての５ｍｍを加えた、２８４ｍｍである。
【００３６】
発熱体３０２Ｃの長さ３０２ｃは、Ｂ５サイズ記録材の横向き搬送態様での幅方向の長さであり、かつ、Ｂ４サイズ記録材の縦向き搬送態様での幅方向の長さである２５７ｍｍに、発熱体余裕代としての５ｍｍを加えた、２６２ｍｍである。
【００３７】
発熱体３０２Ｄの長さ３０２ｄは、ＬＧＬ（リーガル）サイズ記録材の縦向き搬送態様での幅方向の長さである２１６ｍｍに、発熱体余裕代としての５ｍｍを加えた、２２１ｍｍである。
【００３８】
発熱体３０２Ｅの長さ３０２ｅは、Ａ４サイズ記録材の縦向き搬送態様（Ａ４Ｒサイズ）での幅方向の長さである２１０ｍｍに、発熱体余裕代としての５ｍｍを加えた、２１５ｍｍである。
【００３９】
図４は、薄く、幅の狭い板状の発熱体３０２の断面の形状を示す図である。４０２は発熱部であり、通電で発熱する電気抵抗体によって構成されている。４０１、４０３は絶縁部であり、絶縁部４０１，４０３で発熱部４０２を挟み込む構成となっている。
【００４０】
次に、各発熱体の定着ニップ部への移動制御について説明する。発熱体支持ローラ回転モータ２０３を回転させ、センサフラグ２１１が位置検知センサ２１２を遮光した位置で発熱体３０２Ａが定着ニップ部に位置する。遮光してから発熱体支持ローラ回転モータ２０３へ１０パルス出力した位置で発熱体３０２Ｂが定着ニップ部に位置する。また発熱体３０２Ｃが定着ニップ部に位置している状況において、発熱体３０２Ｅを定着ニップ部に移動させるときは、さらに２０パルス出力することによって実現する。逆に発熱体３０２Ａを定着ニップ部に移動させる時は、発熱体支持ローラ回転モータ２０３を逆回転の方向に２０パルス出力することで実現している。以上のように、表示・操作部３１０への選択入力により、制御回路３０９が位置検知センサ２１２の遮光位置からの出力パルスを発熱体支持ローラ回転位置制御部２１３が管理することによって、選択された発熱体を定着ニップ部に移動させることを可能としている。
【００４１】
選択された発熱体が定着ニップ部に位置した後、制御回路３０９はこの発熱体に電源３０６からの電力を供給し、発熱させる。
【００４２】
以上において、画像形成時には操作者が表示・操作部３１０にて所望サイズの記録材を指定入力する。これにより、制御回路３０９は、指定された記録材の幅方向の長さに対応する発熱体を定着ニップ部に移動させ、電力を供給する。
【００４３】
サーミスタ３０４からの信号を用いて、故障判定回路が、後述のように定着ニップ部に位置せしめられた発熱体が故障していないかを判定する。故障していないと判定された場合には、図１で説明したように、選択された記録材がカセット又はデッキのいずれかから送り出されて、この記録材に感光ドラムから未定着トナー像が転写される。そしてこの記録材は、定着器の定着ニップ部を通過してトナー像が定着される。
【００４４】
ここで、本実施例では、画像形成手段によって搬送される記録材に未定着像を形成し、その後、定着器で加熱定着し、排出するまでの一連の動作を画像形成動作とする。
【００４５】
次に、本発明に関わる発熱体支持ローラ上の発熱体のいずれかに故障が発生した場合の装置制御について説明する。
【００４６】
図５に、発熱体支持ローラ３００上の発熱体３０２Ａ，Ｂ，Ｃ，Ｄ，Ｅのいずれかで故障が発生した場合の動作のフローチャートを示す。なお、発熱体（３０２Ａ〜３０２Ｅ）の故障検知回路３１１は、サーミスタ３０４の検知温度情報を用いて行う。サーミスタ３０４で検知する温度（定着ニップ部に位置した発熱体の温度に対応している）が、所定時間内に所定温度まで上昇しない場合に、エラーと判断する。この所定時間と所定温度は、個々の装置特性を加味して予め実験的に求めることができる。なお、上記発熱体（３０２Ａ〜３０２Ｅ）の故障検知方法は、一例であり本発明はこれに限定されず、発熱体にテスト電流を流して断線を検知する等の方法でもよい。
【００４７】
定着ニップ部の発熱体（３０２Ａ〜３０２Ｅ）で故障を検知すると、制御回路３０９は、感光ドラムにトナー像を形成するとともにカセット又はデッキから記録材を送出してこれにトナー像を転写する画像形成動作を一旦停止させて、表示・操作部３１０にエラー表示を行う（Ｓ５０１）。
【００４８】
その後、制限モードに入るかどうかの選択画面を、図６のように表示・操作部３１０に表示させ、操作者に選択を促す（Ｓ５０２）。ここで、操作者に制限モードへの切り替えを判断させるのは、装置機能の一部を制限した動作であることを、明確に認識してもらうために行う。
【００４９】
制限モードが選択されなかった（図６で「ＮＯ」のボタンが押された）場合は、そのまま終了する。
【００５０】
制限モードが選択された（図６で「ＹＥＳ」のボタンが押された）場合、制御回路３０９は、故障が発生した発熱体（故障発熱体）への選択スイッチ部３０７、３０８はオフとして、この故障発熱体の動作を禁止する。加えて、故障が発生していない発熱体（非故障発熱体）への選択スイッチ部３０７、３０８はオン可能として非故障発熱体の動作を許可する（Ｓ５０３）。
【００５１】
次に、表示・操作部３１０で記録材を選択する（Ｓ５０４）。このとき、幅方向のサイズが故障発熱体の長さに対応するサイズの記録材ではなく他のサイズの記録材を選択する。
【００５２】
そして、制御回路３０９は、選択された記録材の幅方向のサイズに対応する長さを有する非故障発熱体を定着ニップ部に移動させる（Ｓ５０５）。
【００５３】
表示・操作部３１０の表示手段に、制限モードで動作していることを表示させた後（Ｓ５０６）、制御回路３０９は、上記非故障発熱体への選択スイッチ部３０７、３０８をオンしてこの発熱体を駆動するとともに画像形成動作を再開させる（Ｓ５０７）。これにより、非故障発熱体の長さに対応する幅方向サイズの記録材にトナー像が形成され、定着処理される。
【００５４】
また、表示・操作部３１０の記録材を選択する表示手段に、故障発熱体に対応する記録材を選択肢表示から外し、非故障発熱体な記録材を選択可能とすることが可能である。その一例を、図６に示す。
【００５５】
図６の表示では、「Ａ４」、「Ａ３」の表示態様は、図１のカセット、デッキのいずれかにそのサイズの記録材は収容されているものの、発熱体３０２Ａが故障したため、選択不可能となったことを示している。また、「Ａ５」、「ＬＴＲ」、「ＬＧＬ」は、図１のカセット、デッキにそのサイズの記録材が収容されておらず、その記録材での画像形成はできないことを示している。そして、図６では、「Ｂ４」、「Ｂ５」、「Ａ４Ｒ」の表示態様で示されたサイズの記録材が対応する発熱体は故障しておらず、そのサイズの記録材もカセット、デッキのいずれかに収容されているものとして示されている。
【００５６】
つまり、図６では、「Ｂ４」、「Ｂ５」、「Ａ４Ｒ」のサイズの記録材が選択可能である表示となっている。
【００５７】
（実施例２）
図７に、実施例２におけるフローチャートを示す。なお、発熱体の故障検知については、実施例１と同様である。
【００５８】
また、制限モードを選択した後、故障発熱体の動作を禁止し、非故障発熱体の動作を許可するまでの動作の流れ（Ｓ７０１〜Ｓ７０３）は実施例１と同様である。
【００５９】
非故障発熱体の動作が許可された後、表示・操作部３１０で、幅方向のサイズが故障発熱体の長さに対応する記録材を、非故障発熱体の長さに対応する記録材に変更可能かを選択する。（Ｓ７０４）。
変更不可の場合は、そのまま終了する。
変更可の場合は、幅方向のサイズが非故障発熱体に対応する記録材のサイズを選択する。（Ｓ７０５）
そして、制御回路３０９は、選択された記録材の幅方向のサイズに対応する長さを有する非故障発熱体を定着ニップ部に移動させる（Ｓ７０６）。
【００６０】
次に、選択された記録材のサイズに応じて、画像データの倍率を変更するか否かを選択する（Ｓ７０７）。変更する場合は、画像倍率処理手段が、元の画像データを、選択された記録材のサイズに合わせて画像の倍率変更処理を行う（Ｓ７０８）。変更しない場合は、元の画像データのまま次のステップに移る。
【００６１】
表示手段の表示・操作部３１０に制限モードで動作していることを表示させた後（Ｓ７０９）、制御回路３０９は上記非故障発熱体への選択スイッチ部３０７、３０８をオンしてこの発熱体を駆動するとともに画像形成動作を再開させる（Ｓ７１０）。
【００６２】
（実施例３）
図８に、実施例３におけるフローチャートを示す。なお、発熱体の故障検知については、実施例１と同様である。
【００６３】
また、制限モードを選択した後、故障発熱体の動作を禁止し、非故障発熱体の動作を許可するまでの動作の流れ（Ｓ８０１〜Ｓ８０３）は実施例１と同様である。
【００６４】
非故障発熱体の動作が許可された後、幅方向のサイズが故障発熱体の長さに対応する記録材を、同一面内で９０度回転させた態様の記録材がカセット、デッキに存在するか否かを判断する（Ｓ８０４）。つまり、幾何学的形状のサイズは同じであるが、その長辺方向を幅方向とする記録材の替わりにその短辺方向を幅方向とする記録材が存在するか、又は、その短辺方向を幅方向とする記録材の替わりにその長辺方向を幅方向とする記録材が存在するかを判断する。
存在しない場合はそのまま終了する。
【００６５】
存在する場合は、回転後の記録材の形状に合わせて、画像回転処理手段が元の画像データを９０度回転処理を行う（Ｓ８０５）。
【００６６】
そして、選択された記録材の幅方向のサイズに対応する非故障発熱体を定着ニップ部に移動させる（Ｓ８０６）。
【００６７】
表示・操作部３１０に制限モードで動作していることを表示させた後（Ｓ８０７）、制御回路３０９は上記非故障発熱体への選択スイッチ部３０７、３０８をオンしてこの発熱体を駆動するとともに画像形成動作を再開させる（Ｓ８０８）。
【００６８】
（実施例４）
図９に、実施例４におけるフローチャートを示す。なお、発熱体の故障検知については、実施例１と同様である。
【００６９】
また、制限モードを選択した後、故障発熱体の動作を禁止し、非故障発熱体の動作を許可するまでの動作の流れ（Ｓ９０１〜Ｓ９０３）は実施例１と同様である。
【００７０】
非故障発熱体の動作が許可された後、故障発熱体よりも長い非故障発熱体を定着ニップ部に移動させ（Ｓ９０４）、表示手段に制限モードで動作していることを表示させる（Ｓ９０５）。
【００７１】
そして、制御回路３０９は上記非故障発熱体への選択スイッチ部３０７、３０８をオンしてこの発熱体を駆動するとともに画像形成動作を再開させる（Ｓ９０６）。
【００７２】
これにより、故障発熱体に対応するサイズの記録材に対して画像形成動作を行うことが可能となる。
【００７３】
このとき、記録材の幅方向のサイズよりも発熱体の方が長いため、連続して画像形成を行う枚数が多いと、発熱体において記録材が通過しない領域（非通紙領域）の温度が上昇してしまうことがある。
【００７４】
この昇温による影響を最小限に抑えるためには、故障発熱体よりも１サイズ長い非故障発熱体を用いることにより、昇温の影響を最小限に抑える制御を行ってもよい（Ｓ１００４）。
【００７５】
本実施例において、定着部材として定着ベルトを用いているが、本発明においてはベルトに限るものではなく、スリーブ状などでもよい。
【００７６】
また、本実施例において、発熱体支持ローラを回転させることによって複数の発熱体を移動させているが、定着ニップ部に発熱体を並べて固定する形状でもよい。
【００７７】
本発明は、電子写真方式の画像形成装置に限るものではなく、また、定着する像としてトナー像を用いているが、インクジェット方式などの画像形成装置に用いてもよい。
【図面の簡単な説明】
【００７８】
【図１】画像形成装置本体の側断面図。
【図２】定着器の概要図。
【図３】発熱体に関する構成図。
【図４】発熱体の断面図。
【図５】実施例１に関する制御フローチャート。
【図６】表示手段の表示・操作部３００。
【図７】実施例２に関する制御フローチャート。
【図８】実施例３に関する制御フローチャート。
【図９】実施例４に関する制御フローチャート。
【符号の説明】
【００７９】
１００  本体
１１０  電子写真感光ドラム
１２０  露光制御部
１２６  画像形成部
１３１  上段カセット
１３２  下段カセット
１４１  定着器
２００  定着ベルト
２０５  加圧ローラ
３００  発熱体支持ローラ
３０２Ａ，Ｂ，Ｃ，Ｄ，Ｅ  発熱体
３０３Ａ，Ｂ，Ｃ，Ｄ，Ｅ  電力制御部
３０４  サーミスタ
３０５  温度調整制御部
３０６  電源
３０７，３０８  選択スイッチ部
３０９  制御回路
３１０  表示・操作部
４０１，４０３  絶縁部
４０２  発熱部
【図１】
2009237328.tif 000003
【図２】
2009237328.tif 000004
【図３】
2009237328.tif 000005
【図４】
2009237328.tif 000006
【図５】
2009237328.tif 000007
【図６】
2009237328.tif 000008
【図７】
2009237328.tif 000009
【図８】
2009237328.tif 000010
【図９】
2009237328.tif 000011